(57)【要約】【課題】操作筒の確実な弛緩防止機能が得られ、実釣時にハンドルがガタ付くことのないハンドルの折り畳み装置を備えた魚釣用リールを提供する。【解決手段】本発明の魚釣用リールは、リール本体２の駆動軸６の端部に折り畳み自在に軸支されるハンドル７の基部端面７ｄに対し、駆動軸６の外周に設けた操作筒１３を回転して軸方向移動することで、ハンドル７を駆動軸に対して折り畳み状態と起立状態に切換可能にするハンドル折り畳み装置１０を備えている。このハンドル折り畳み装置１０は、駆動軸６と操作筒１３との間に介在され、操作筒１３を駆動軸に対してハンドルを起立保持する方向の回転を許容し、かつハンドルの折り畳む方向の回転を阻止する一方向クラッチ２０と、一方向クラッチ２０の回転阻止状態を解除する操作片とを有する。【選択図】    図３
2006254783.tif 000002
【特許請求の範囲】
【請求項１】
リール本体の駆動軸の端部に折り畳み自在に軸支されるハンドルの基部端面に対し、前記駆動軸の外周に設けた操作筒を回転して軸方向移動することで、前記ハンドルを駆動軸に対して折り畳み状態と起立状態に切換可能にするハンドル折り畳み装置を備えた魚釣用リールにおいて、
前記ハンドル折り畳み装置は、
前記駆動軸と操作筒との間に介在され、前記操作筒を駆動軸に対してハンドルを起立保持する方向の回転を許容し、かつハンドルの折り畳む方向の回転を阻止する一方向クラッチと、
前記一方向クラッチの回転阻止状態を解除する切換手段と、
を有することを特徴とする魚釣用リール。
【発明の詳細な説明】
【技術分野】
【０００１】
本発明は、リール本体の内部に設けられた巻取り駆動機構に連結されるハンドルを、起立状態と折り畳み状態に切換え可能にするハンドル折り畳み装置を備えた魚釣用リールに関する。
【背景技術】
【０００２】
一般的に、魚釣用リールであるスピニングリールには、使用後の携帯性を良くするために、ハンドル折り畳み装置が設けられている。このハンドル折り畳み装置は、例えば、特許文献１や特許文献２に開示されているように、ハンドル軸外周に螺合する操作筒を回転操作して軸方向に移動させることで、ハンドル軸の端部にピンを介して連結したハンドルアームを起立保持状態と折り畳み状態の両状態に切換えできるよう構成されている。
【特許文献１】実公昭５１−１７１９０号
【特許文献２】実公昭５０−４６３５号
【発明の開示】
【発明が解決しようとする課題】
【０００３】
ところで、実釣時の巻取り操作中は、通常、ハンドルツマミを握持保持して前後左右に力を加えながら、連続、不連続に不規則な力を与えつつ回転操作を行なう。このため、上記した特許文献１に開示されているような折り畳み装置における操作筒の螺合構成では、ハンドルアームを起立保持する操作筒が、ハンドルの巻取り操作中に弛緩回転することがあり、これによってハンドルがガタ付いて、円滑な巻取り操作が行なえないという問題がある。
【０００４】
なお、上記した特許文献２に開示されている折り畳み装置によれば、操作筒をバネとボールによって回転方向に摩擦抵抗を生じるように構成しているが、操作筒が所定の回転力で回転することに変わりはなく、巻取り操作時に不規則な力が作用する過酷な実用条件下においては確実性に欠けてしまう。また、ボールが凹凸部の凹部に係合せずに回転方向に摩擦抵抗力が発生しない位置が生じてしまい、結果として、操作筒の確実な弛緩防止性能が得られないという問題がある。
【０００５】
本発明は、上記した問題に基づいてなされたものであり、ハンドルを起立保持状態と折り畳み状態の両状態に切換え可能としたハンドルの折り畳み装置を備えた魚釣用リールにおいて、操作筒の確実な弛緩防止機能が得られ、実釣時にハンドルがガタ付くことのないハンドルの折り畳み装置を備えた魚釣用リールを提供することを目的とする。
【課題を解決するための手段】
【０００６】
上記した目的を達成するために、本発明に係る魚釣用リールは、リール本体の駆動軸の端部に折り畳み自在に軸支されるハンドルの基部端面に対し、前記駆動軸の外周に設けた操作筒を回転して軸方向移動することで、前記ハンドルを駆動軸に対して折り畳み状態と起立状態に切換可能にするハンドル折り畳み装置を備えた構成において、前記ハンドル折り畳み装置は、前記駆動軸と操作筒との間に介在され、前記操作筒を駆動軸に対してハンドルを起立保持する方向の回転を許容し、かつハンドルの折り畳む方向の回転を阻止する一方向クラッチと、前記一方向クラッチの回転阻止状態を解除する切換手段と、を有することを特徴とする。
【０００７】
上記した構成によれば、ハンドルの駆動軸と操作筒との間に介在された一方向クラッチによって、操作筒は、ハンドルが折り畳む方向に回転できないようになっている。このため、実釣時にハンドルを様々な態様で回転操作しても、操作筒が弛緩するようなことはなく、これにより、ハンドルアームがガタ付くことはない。また、ハンドルを折り畳むときは、切換手段を操作して、一方向クラッチの回転阻止状態を解除することで、操作筒は弛緩方向に回転でき、これによってハンドルを折り畳むことが可能となる。
【発明の効果】
【０００８】
本発明によれば、ハンドルを起立保持した状態でハンドルを回転操作する際、ハンドルの起立保持状態と折り畳み状態を切換える操作筒が弛緩防止状態に維持されているため、実釣時にハンドルがガタ付くようなことはなく、円滑に回転操作できる魚釣用リールが得られる。
【発明を実施するための最良の形態】
【０００９】
図１から図６は、本発明の一実施形態を示す図であり、図１は、本発明に係るハンドルを装着した魚釣用リール（スピニングリール）の一構成例を示す図、図２は、図１のＡ−Ａ線に沿った断面図、図３は、図２におけるハンドルの支持部を拡大して示す図、図４は、ハンドルの折り畳み状態を示す図、図５は、図３のＢ−Ｂ線に沿った断面図、そして、図６は、図３のＣ−Ｃ線に沿った断面図である。
【００１０】
スピニングリール１のリール本体２には、釣竿に装着されるリール脚２ａが一体形成されており、その前方には、回転可能に支持されたロータ３と、ロータ３の回転運動と同期して前後動可能に支持されたスプール５が配設されている。また、リール本体２には、駆動軸（ハンドル軸）６が軸受６ａを介して回転可能に支持されており、その突出端には、ハンドル７が装着されている。さらに、リール本体２内には、前記ハンドル軸６に取り付けられたフェースギヤ８に連結される公知の巻取り駆動機構９が配設されており、前記ハンドル７を回転操作することで、フェースギヤ８及び巻取り駆動機構９を介して、前記ロータ３は回転駆動され、かつスプール５は往復駆動される。
【００１１】
前記ハンドル７は、手の指によって摘まれるハンドルノブ７ａと、ハンドルノブ７ａを回転可能に支持するハンドルアーム７ｂとを備えており、前記ハンドル軸６の端部に軸方向に突出するように形成されたスタンド６ｂに対して回動可能に支持されている。具体的には、ハンドルアーム７ｂは、その基部７ｃが前記スタンド６ｂに装着されたハンドル止めピン６ｃによって、起立位置（図３参照）と折り畳み位置（図４参照）との間で回動可能に支持されており、ハンドル折り畳み装置１０によって、駆動軸６に対して折り畳み状態と起立状態に切換えられるように構成されている。
【００１２】
本実施形態におけるハンドル折り畳み装置１０は、前記駆動軸６の端部に形成された雄ネジ部６ｄに螺合されるナット１２と、ナット１２を回転操作すべくナットと共に一体回転可能な操作筒１３と、駆動軸６に一体回転可能に取り付けられ、前記操作筒１３を内周側から支持する支持部材１５と、前記ナット１２（ナット１２と共に一体回転する操作筒１３）と駆動軸６との間に介在される一方向クラッチ２０と、を備えている。
【００１３】
前記ナット１２のリール本体側は、操作筒１３の内周面に固着されており、操作筒１３を回転操作することで、ナット１２は軸方向に沿って螺進／螺退するようになっている。この場合、ナット１２の先端面１２ａは、前記ハンドルアーム７ｂの基部７ｃの係合面（基部端面）７ｄに当て付くようになっており、ナット１２を先端側に螺進させることで、ナット１２の先端面１２ａが係合面７ｄに当て付いてハンドル７を起立状態に保持し（図３参照）、ナット１２をリール本体側に螺退させることで、ナット１２の先端面１２ａが係合面７ｄから離間してハンドルアーム７ｂはハンドル止めピン６ｃを中心に回動可能となり、ハンドル７を折り畳み状態（図４参照）にすることが可能となる。
【００１４】
なお、操作筒１３の外周には、操作筒１３（ナット１２）を回転操作し易いように、摩擦領域、例えば、所定の間隔をおいて軸方向に延出するように形成される溝１３ａが形成されている。
【００１５】
前記一方向クラッチ２０は、図６に示すように、ナット１２に回り止めされると共に、所定間隔をおいて楔領域２１及びフリー領域２２が周方向に連続形成された外輪２３と、前記楔領域２１及びフリー領域２２に位置する複数のコロ２５と、各コロ２５を保持する保持器２６と、保持器２６に設けられ、各コロ２５を楔領域２１に向けて付勢する付勢バネ２７とを備えている。この場合、一方向クラッチ２０の向きは、図６に示すように、ナット１２を締め付ける向き（ハンドルを起立保持する向き）Ｄ１に回転操作した際、各コロ２５がフリー領域２２に移行して回転を許容し、ナット１２を緩める向き（ハンドルを折り畳む向き）Ｄ２に回転操作した際、各コロ２５が楔領域２１に移行して回転を阻止するように設定されている。
【００１６】
すなわち、上記したような一方向クラッチ２０を駆動軸６とナット１２との間に介在したことにより、ナット１２は、締まる方向Ｄ１のみに回転可能で、かつ緩む方向Ｄ２の回転が阻止されるようになる。従って、実釣時において、ハンドル７を様々な態様で巻取り操作（駆動軸６は図６においてＤ１方向に回転駆動される）しても、ナット１２が緩むようなことはなく、これにより、ハンドル７がガタ付くことが確実に防止されて、円滑な巻取り操作が常時可能となる。
【００１７】
また、ハンドル折り畳み装置１０は、上記した一方向クラッチ２０の回転阻止状態を解除するように切換手段３０を備えている。この切換手段３０は、一方向クラッチ２０に係合するように設けられており、ハンドル７を折り畳み操作するに当たって、操作筒１３が緩む方向Ｄ２に回転操作できるように、一方向クラッチ２０の状態を、操作筒の回転阻止状態から回転可能状態に切換えるよう構成されている。
【００１８】
具体的に、本実施形態の切換手段３０は、前記保持器２６の端部において、保持器と共に一体回転可能な略円板状の作動プレート３１を備えた構成となっている。この場合、作動プレート３１は、その中央部において、前記保持器２６と凹凸嵌合（図５参照）することで、保持器と共に一体回転可能となっており、操作筒１３の外周面に嵌合される止め輪１３ｂによって軸方向への移動が規制されている。また、作動プレート３１には、径方向に向けて操作片３２が形成されており、この操作片３２は、操作筒１３の外周面に所定の角度に亘って切り欠かれた円弧状の開口１３ｃに、指で操作可能となるように配置されている。
【００１９】
上記したような切換手段３０の構成によれば、作動プレート３１の操作片３２を、図５において、指で反時計回り方向に回動操作することで、保持器２６は、図６の反時計回り方向に回動され、各コロ２５は、フリー領域２２に移行する。これにより操作筒１３は、ナット１２の緩む方向である矢印Ｄ２方向に自由に回転することができ、最終的に、図４に示すように、ナット１２の先端面１２ａが係合面７ｄから離間して、ハンドル７を折り畳み状態にすることが可能となる。
【００２０】
なお、上記した切換手段３０については、一方向クラッチ２０の回転阻止状態を解除して操作筒１３を緩む方向に回転操作できるように構成されたものであれば良く、上記した実施形態以外にも、例えば、図７から図９に示すように構成することが可能である。
【００２１】
この構成例では、一方向クラッチ２０の外輪２３にラチェット３５を回り止め固定しておき（外輪に一体形成しても良い）、ここに、ナット１２に支持ピン３６を介して揺動可能に支持されたストッパ３７を係合させている。このストッパ３７は、一端側３７ａにおいて、ナット１２との間に介在された板バネ３８によって押圧付勢されており、その他端側である爪３７ｂが常時、ラチェット３５に係合した状態となっている。なお、ナット１２及び操作筒１３には、ストッパ３７が揺動可能で、かつ一端側３７ａを押圧操作できるように、駆動軸方向に沿って割溝４０が形成されている。
【００２２】
このような構成によれば、操作筒１３を締め付け方向Ｄ１に回転操作すると、ラチェット３５に対しストッパ３７が非係止状態であると共に、外輪２３は、各コロ２５がフリー回転可能な位置に移行するように回転されるため、締め付け方向への回転が可能となり、かつ緩む方向Ｄ２への回転は、ラチェット３５とストッパ３７が係止状態で外輪２３を一体回転させるものの各コロ２５が楔領域に移行することから、阻止された状態となる。
【００２３】
そして、ハンドルを折り畳む際には、ストッパ３７の一端側３７ａを、板バネ３８の付勢力に抗して押圧することで、ストッパ３７がラチェット３５から離間して外輪２３と操作筒１３との係合関係を解除する。これにより、操作筒１３は、一方向クラッチ２０との係合が解除され、緩み方向Ｄ２に回転操作することが可能となる。すなわち、一端側３７ａを押圧しつつ、操作筒１３を回転操作することで、ハンドルを折り畳むことが可能となる。
【００２４】
このような構成においても、上記した実施形態と同様な作用効果が得られる。
【００２５】
以上、本発明の実施形態について説明したが、本発明は、実釣時において、ハンドルを折り畳みするに際して回転操作される操作筒１３（ナット１２）が、緩む方向に回転できないように、一方向クラッチ２０を配置したものであれば良く、各構成部材、例えば、ハンドル７、操作筒１３及びナット１２等の構成や、取り付け方法等に関しては、上記した実施形態に限定されることはなく、種々変形することが可能である。例えば、上記したナット１２及び操作筒１３は、別部材を固着するのではなく、両者が一体形成されたものであっても良い。また、切換手段３０については、上記したように作用する一方向クラッチ２０の回転阻止状態を解除して、操作筒を緩む方向に回転できるように切換えできるものであれば良く、その構成や配設位置等に関しては、適宜変形することが可能である。
【図面の簡単な説明】
【００２６】
【図１】本発明に係るハンドルを装着した魚釣用リール（スピニングリール）の一構成例を示す図。
【図２】図１のＡ−Ａ線に沿った断面図。
【図３】図２におけるハンドルの支持部を拡大して示す図。
【図４】ハンドルの折り畳み状態を示す図。
【図５】図３のＢ−Ｂ線に沿った断面図。
【図６】図３のＣ−Ｃ線に沿った断面図
【図７】ハンドル折り畳み装置の別の構成例を示す図であり、操作筒部分の拡大図。
【図８】図７を矢印Ｄ方向から見た図。
【図９】図７のＥ−Ｅ線に沿った断面図。
【符号の説明】
【００２７】
１  スピニングリール（魚釣用リール）
２  リール本体
６  ハンドル軸（駆動軸）
７  ハンドル
７ａ  ハンドルノブ
７ｂ  ハンドルアーム
７ｃ  基部
１０  ハンドル折り畳み装置
１２  ナット
１３  操作筒
２０  一方向クラッチ
３０  切換手段
【図１】
2006254783.tif 000003
【図２】
2006254783.tif 000004
【図３】
2006254783.tif 000005
【図４】
2006254783.tif 000006
【図５】
2006254783.tif 000007
【図６】
2006254783.tif 000008
【図７】
2006254783.tif 000009
【図８】
2006254783.tif 000010
【図９】
2006254783.tif 000011